(57)【要約】【課題】  大容量の電源部を用いることなく、高速で画像記録が実現できる画像記録装置及び画像記録方法を提供する。【解決手段】  画像に含まれる最大の濃度の部位を記録する際に消費される第１の電力と、画像の全体を記録する際に消費される第２の電力とを予測し、これら第１及び第２の電力に基づいて、その画像を記録する際の記録媒体の搬送速度を決定する。【選択図】  図５
2011152793.tif 000002
【特許請求の範囲】
【請求項１】
搬送される記録媒体に画像を記録する画像記録装置であって、
前記画像に含まれる最大の濃度の部位を記録する際に消費される第１の電力を予測する第１予測手段と、
前記画像の全体を記録する際に消費される第２の電力を予測する第２予測手段と、
前記第１予測手段及び前記第２予測手段により予測される前記第１及び第２の電力に基づいて、前記画像を記録する際の前記記録媒体の搬送速度を決定する決定手段と、
を有することを特徴とする画像記録装置。
【請求項２】
前記決定手段は、前記第１の電力が前記画像記録装置の電源が供給可能なピーク電力の最大値を超えない第１条件と、前記第２の電力が前記電源が供給可能な平均電力の最大値を超えない第２条件とを共に満たす搬送速度を、前記画像を記録する際の搬送速度として決定することを特徴とする請求項１に記載の画像記録装置。
【請求項３】
前記決定手段は、前記第１条件を満たす仮の搬送速度を求め、前記仮の搬送速度が前記第２条件を満たす場合は、前記仮の搬送速度を前記画像を記録する際の搬送速度として決定し、前記仮の搬送速度が前記第２条件を満たさない場合は、前記仮の搬送速度よりも小さく且つ前記第２条件を満たす搬送速度を前記画像を記録する際の搬送速度として決定することを特徴とする請求項２に記載の画像記録装置。
【請求項４】
前記画像は複数種のインクを使用して記録されるカラー画像であり、前記カラー画像の濃度はインクの種類毎に区分されていることを特徴とする請求項１乃至３のいずれか１項に記載の画像記録装置。
【請求項５】
前記画像記録装置は前記記録ヘッドを複数個備えており、前記記録ヘッドごとに前記第１及び前記第２の予測手段が備えられていることを特徴とする請求項１乃至４のいずれか１項に記載の画像記録装置。
【請求項６】
前記カラー画像の濃度と前記パルス数との関係を示すテーブルであって、前記記録媒体の搬送速度が大きくなるほど記録できる最大の濃度が小さくなるとともに、前記搬送速度が大きくなるほど同じ濃度を記録するときに前記記録ヘッドが消費する電力が増大するようなデータを含むテーブルを、複数の搬送速度の各々に対応して記憶する記憶手段を有することを特徴とする請求項１乃至５のいずれか１項に記載の画像記録装置。
【請求項７】
所定方向に配列された複数の記録素子を有する記録ヘッドを有し、前記記録ヘッドを前記配列方向と交差する方向に走査させるとともに前記走査の後に記録媒体を前記配列方向に搬送させて画像を記録する画像記録装置の制御方法であって、
前記画像に含まれる最大の濃度の部位を記録する際に消費される第１の電力を予測する第１予測工程と、
前記画像全体を記録する際に消費される第２の電力を予測する第２予測工程と、
前記第１及び第２予測工程により予測される前記第１及び第２の電力に基づいて、前記画像を記録する際の前記記録媒体の搬送速度を決定する決定工程と、
前記決定された搬送速度で前記画像を記録する画像記録工程と、
を有することを特徴とする画像記録装置の制御方法。
【請求項８】
前記第２の予測工程は、前記画像データに基づき記録される前記画像を濃度別の画像面積に区分し、前記画像面積の記録に必要な前記電力を各々算出し、前記濃度別に得られる前記電力の累積値から前記第２の電力を予測することを特徴とする請求項７に記載の画像記録装置の制御方法。
【請求項９】
前記画像は複数種のインクを使用して記録されるカラー画像であり、前記カラー画像の濃度はインクの種類毎に区分されていることを特徴とする請求項８に記載の画像記録装置の制御方法。
【請求項１０】
コンピュータに、請求項７乃至９のいずれか１項に記載の画像記録装置の制御方法を実行させるためのプログラムを格納したコンピュータ可読記憶媒体。
【発明の詳細な説明】
【技術分野】
【０００１】
本発明は、画像記録装置およびその制御方法並びに記憶媒体に関し、特に高速で画像記録を行う熱転写または昇華型の画像記録装置およびその制御方法並びに記憶媒体に関する。
【背景技術】
【０００２】
例えば、ワードプロセッサ、パーソナルコンピュータ、ファクシミリ等に於ける情報出力装置として、所望される文字や画像等の情報を用紙やフィルム等シート状の記録媒体に記録を行う画像記録装置において、用紙等の記録媒体の送り方向と直角な方向に往復走査しながら記録を行なうシリアル記録方式が安価で小型化が容易などの点から一般的に広く用いられている。
【０００３】
ここで、熱転写または昇華型の画像記録装置を用いて高速に画像記録を行う際の一つの問題点について説明する。
【０００４】
熱転写または昇華型の画像記録装置を用い、同じ記録媒体（メディア）すなわち受像紙とインクから構成される記録媒体の感度が同じものに画像記録する場合には、一般により多くの電力が必要となる。
【０００５】
これは、熱転写または昇華型の画像記録装置では、単位時間に単位面積あたりに供給するエネルギーは変わらないため、多くの面積に高速に画像記録するとなると画像記録量に比例してより多くの電力を供給しなければならないからである。
【０００６】
しかしながら、単位時間に多量の電力を供給できる電源部は高価となるため、当然画像記録装置のコスト増加の要因になる。そのため従来は、このような大容量の電力供給用電源部が搭載された高速画像記録装置は、多少コスト増加があったとしても性能を優先していた証明書やシール印刷等の業務用画像記録装置に限られて使用されていた。
【発明の概要】
【発明が解決しようとする課題】
【０００７】
一方、最近ではデジタルカメラの普及により、デジタルカメラの画像を家庭で手軽に高速で画像記録したいというニーズが高まっている。このような用途に熱転写または昇華型の画像記録装置は適している。
【０００８】
しかしながら、上記説明したように高速性が要求される画像記録に適した熱転写または昇華型の画像記録装置を製造するためには、製造コストの削減の問題を解決する必要がある。
【０００９】
本発明は上記従来技術の問題点を解決するためになされたものであり、その目的は高価な大容量の電源部を必要とせずに高速で画像記録を可能とする画像記録装置及びその制御方法と記憶媒体を提供することである。
【課題を解決するための手段】
【００１０】
上記目的を達成するための本発明の画像記録装置は下記の構成を備える。すなわち、
搬送される記録媒体に画像を記録する画像記録装置であって、
前記画像に含まれる最大の濃度の部位を記録する際に消費される第１の電力を予測する第１予測手段と、
前記画像の全体を記録する際に消費される第２の電力を予測する第２予測手段と、
前記第１予測手段及び前記第２予測手段により予測される前記第１及び第２の電力に基づいて、前記画像を記録する際の前記記録媒体の搬送速度を決定する決定手段と、
を有することを特徴とする。
上記目的を達成するための本発明の画像記録装置の制御方法は下記の構成を備える。すなわち、
所定方向に配列された複数の記録素子を有する記録ヘッドを有し、前記記録ヘッドを前記配列方向と交差する方向に走査させるとともに前記走査の後に記録媒体を前記配列方向に搬送させて画像を記録する画像記録装置の制御方法であって、
前記画像に含まれる最大の濃度の部位を記録する際に消費される第１の電力を予測する第１予測工程と、
前記画像全体を記録する際に消費される第２の電力を予測する第２予測工程と、
前記第１及び第２予測工程により予測される前記第１及び第２の電力に基づいて、前記画像を記録する際の前記記録媒体の搬送速度を決定する決定工程と、
前記決定された搬送速度で前記画像を記録する画像記録工程と、を有することを特徴とする。
【発明の効果】
【００１１】
本発明によれば、大容量の電源部を用いることなく、高速で画像記録が実現できる画像記録装置及び画像記録方法を提供できる。
【図面の簡単な説明】
【００１２】
【図１】本発明に係る一実施形態の昇華型画像記録装置の概略の構成を示す図である。
【図２】本発明に係る一実施形態の昇華型画像記録装置の概略の制御部の構成を示すブロック図である。
【図３】本発明に係る一実施形態の全体の動作の概略を示すフローチャートである。
【図４】各搬送速度におけるストローブパルス数と濃度の関係を示す図である。
【図５】本発明に係る一実施形態の搬送速度決定方法の流れを示すフローチャートである。
【図６】本発明に係る一実施形態の搬送速度の決定方法の説明図であり、同じインク濃度の面積Ａ１、Ａ２をそれぞれ計算する図である。
【図７】本発明に係る一実施形態の搬送速度の決定方法の説明図であり、同じインク濃度の面積Ａ１、Ａ２をそれぞれ計算する図である。
【図８】面積Ａ２の部分を記録するために必要なストローブパルス数と平均消費電力を説明する図である。
【図９】面積Ａ２の部分を記録するために必要なストローブパルス数と平均消費電力を説明する図である。
【発明を実施するための形態】
【００１３】
以下に図面を参照して、本発明に係る一実施の形態を説明する。
【００１４】
ただし、本実施の形態では、画像記録装置として昇華型画像記録装置１００を用いて説明するが、本発明の範囲を記載例に限定する趣旨のものではない。
【００１５】
［装置本体の概略説明］
図１は、昇華型画像記録装置１００の側面から見た構成の概略を示す説明図である。
【００１６】
記録密度に対応して多数の記録電極を配列したサーマルヘッド１１とプラテン１３の間にイエロー、マゼンタ、シアンの順に配列したインクシート１２と受像紙１５が位置される。
【００１７】
サーマルヘッド１１は、不図示の駆動部によりプラテン１３に圧接したり、離反させたりを操作できるように構成されている。プラテン１３は高平滑性の表面を有し表面で受像紙とインクシートをサーマルヘッドで移動可能に挟み付けている。
【００１８】
インクシート１２は、最初は供給ローラ１９に巻かれており、巻き取りローラ１８側へ順次巻き取られて行く構成になっている。通常、インクシート１２は予め供給ローラ１９に巻かれており、供給ローラ１９と巻き取りローラ１８が一体になったカセットの形で供給される。
【００１９】
受像紙１５はピンチローラ１６を介してキャプスタンローラ１７で搬送される。キャプスタンローラ１７は、ステップモータ２１に直結された伝達ギヤ２０とベルト２２を介して駆動される構成となっている。
【００２０】
また、巻き取りローラ１８は、不図示の別のＤＣモータとトルクリミッタを介して、駆動されるようになっている。これによって、受像紙１５の移動量とインクシートの移動量は等しくなる。
【００２１】
以上により、受像紙１５とインクシート１２の移動速度は、ステップモータ２１の回転速度、すなわち、駆動パルスの周期を変えることで、任意に可変することが可能である。また、受像紙の先頭位置を検知するセンサ１４およびインクシートの頭だしマーカを検出するセンサ１０が設けられている。
【００２２】
［制御系の構成］
図２は、昇華型画像記録装置１００の制御系の構成を示すブロック図である。
【００２３】
ＰＣＩ／Ｆ３１は、パソコンＰＣ（図示せず）から送信されてくる画像用データや制御用コマンドなどを受信して、演算制御部３２に送信する。
【００２４】
演算制御部３２は、ＲＯＭ３３に格納された後述するシーケンスのプログラムを実行することによって、必要な画像処理およびサーマルヘッドやステップモータの制御を行う。また、演算制御部３２は、後述する方法で決定された搬送速度に対応した周期の駆動パルス信号を発生し、モータ制御部３７に供給する。
【００２５】
モータ制御部３７では、この駆動パルス信号に同期した駆動パルスを発生し、実際にステップモータ３８を駆動する。
【００２６】
例えば、副走査方向送り密度３００ＤＰＩ、搬送速度７ｍｓｅｃ／ライン、４ステップで、一ライン駆動の場合には、駆動パルス周期は、１．７５ｍｓｅｃで、一パルスあたり受像紙、インクシートが２１ミクロン移動することに相当する。またもし、２倍速で駆動する場合は、駆動パルス周期を、０．８７５ｍｓｅｃとすればよい。
【００２７】
また、ヘッド制御部３６は、バッファメモリ３５に格納された濃度データをストローブパルスの数に変換し、駆動電圧（例えば、２４Ｖ）でサーマルヘッド１１を駆動して画像記録するを行う。より詳細は後述される。
【００２８】
［画像記録の流れ］
図３は、昇華型画像記録装置１００による画像記録動作の流れを示すフローチャートである。
【００２９】
ステップＳ５１において、ＰＣＩ／Ｆ３１を介して、パソコンＰＣ（図示せず）から画像記録すべき画像データを受信する。本実施形態では、ＲＧＢ各８ビットの画像データを受信する例を用いて説明するが、もし他の形式の画像データ、例えば、ＹＣｒＣｂ等の画像データであっても使用することが出来る。
【００３０】
ＹＣｒＣｂ形式の画像データの場合には、このデータをマトリクス演算等によりＲＧＢに変換すればよい。
【００３１】
次にステップＳ５２において、受信したＲＧＢ各８ビットの画像データを適当な変換によってイエロー（Ｙ）、マゼンタ（Ｍ）、シアン（Ｃ）の濃度データに変換する。変換結果は、一旦ＲＡＭ３４に書き込まれ保持される。
【００３２】
なお本実施形態では、説明を簡単にするために入力画素数と画像記録装置の出力画素数とが等しい場合についての変換方法について説明するが、もし入力画素数と画像記録装置の出力画素数とが異なる場合でも変換することが出来る。
【００３３】
上記異なる場合には、適当なリサイズ処理を行って、画像記録装置画素数に対応したＹＭＣデータに変換すればよい。変換結果は、一旦ＲＡＭ３４に書き込まれ、保持される。
【００３４】
次にステップＳ５３において、ピンチローラ１６とキャプスタンローラ１７の間に受像紙１５が挿入される。なお挿入方法は、手差式でもよいし、ピックアップローラ等を利用した自動給紙方式でも構わない。一旦受像紙１５が挿入されると、図１の方向Ａへ受像紙１５が送られる。紙センサ１４によって受像紙１５の先端が検知されると搬送は停止される。
【００３５】
次にステップＳ５４において、Ｎ＝１とし、使用するカラーインクリボンの初期値を設定する。なお本実施形態の説明では、カラー用紙を用いてカラー画像を記録する場合について説明するが、黒やグレーなどの単色用紙を用いてモノクロ画像を記録してもよい。
【００３６】
カラー画像を記録する場合には、例えばイエロー、マゼンタ、シアンの順番に画像記録を行うので、ステップＳ５５〜ステップＳ５８の処理は、各色ごとに３回反復実行される。
【００３７】
なお１色のインクリボンを用いて記録する場合にはステップＳ５５〜ステップＳ５８の処理は１回とすればよい。また使用するカラーインクリボンのインクの種類を増やす場合にはその種類分だけステップＳ５５〜ステップＳ５８の処理を増やして実行すればよい。
【００３８】
次にステップＳ５５において、キャプスタンローラ１７をステップＳ５３で回転させた方向と逆方向に回転させ、受像紙１５を図１の方向Ｂへ所定の距離だけ移動させることによって、所定搬送速度で画像記録するときの受像紙１５に対するインクリボンの先頭位置の位置決めを行う。
【００３９】
次に、巻き取りローラ１８を駆動し、イエローインクシートの先頭マーカをインクセンサ１０によって検知し、インクシートの頭だしが行われる。この状態では、ヘッド１１はピンチローラ１３から離れている。
【００４０】
次にステップＳ５６において、ステップＳ５２で決定したＹＭＣデータのうち、イエローのデータを後述する方法で解析し、どの搬送速度で画像を記録するかを決定する。
【００４１】
次にステップＳ５７において、バッファメモリ３５にイエロー一色分のデータが書き込まれる。
【００４２】
次にステップＳ５８において、演算制御部３２は、ヘッド１１をプラテン１３に圧接した後、決定されたプリンと速度に対応する周期の駆動パルス信号を発生し、モータ制御部３７を介してステップモータ３８を駆動し、受像紙１５を搬送する。同時に、ＤＣモータも駆動され、インクシートも同速度で巻き取りローラ１８へ巻かれて行く。一方、バッファメモリ３５の一ライン分の濃度信号は、濃度に応じたパルスの数に変換される。
【００４３】
予め、ストローブパルスの数と発色濃度の関係を実験で求め、例えば図４のようなデータを得る。これがＲＯＭ３３に格納され、演算制御部３２では、このテーブルを参照しながら、濃度からパルスの数への変換を行う。このデータは後述するように、搬送速度によって異なるため、この処理や使用するテーブルももちろん搬送速度によって異なることになる。
【００４４】
ヘッドの各素子毎に設けられたシフトレジスタに転送される。このように決定されたストローブパルスに同期して、ヘッド印加電圧がサーマルヘッド１１の各発熱体に印加されると、発熱体の温度が上昇し、所望の濃度のインクが受像紙１５に転写され、ある一ラインの画像記録が終了する。
【００４５】
以上の操作を副走査方向のライン数だけ繰り返されることにより、イエロー濃度の画像記録が終了する。
【００４６】
次にステップＳ５９において、シアンによる画像記録が終了したかどうか調べ、シアンによる画像記録が終了していない場合には、ステップＳ６０に進み、Ｎ＝Ｎ＋１としてインクリボンの種類を変更してからステップＳ５５に戻り、上記説明した処理をマゼンタ、シアンについても繰り返す。
【００４７】
一方、ステップＳ５９において、シアンによる画像記録の終了が確認されると、ステップＳ６１に進み、受像紙１５はＢ方向へ不図示の排出ローラ等を用いて自動的に排出されてからステップＳ６２に進み一連の作業を終了する。なおステップＳ６１における受像紙１５の排出処理を手動で行うように構成してもよい。
【００４８】
以上の説明では、ステップＳ５５〜ステップＳ５８に示す処理は、各色毎に行う方法について説明にしたが、本実施形態に限ることはなく、例えば、イエロー、シアン、マゼンタの各色を混色することにより生成するグレーを用いて実施してもよい。
【００４９】
この場合には、図４のイエロー濃度で作成したのと類似する図、すなわちグレー濃度とストローブパルス数との関連を示す図（図示せず）を予め作成しておき、この図（図示せず）を用いて、イエロー、シアン、マゼンタに対して共通する搬送速度についてステップＳ５５〜ステップＳ５８で画像記録に適した最速の搬送速度を選択し、選択した搬送速度でイエロー、シアン、マゼンタのそれぞれの画像を記録するように制御するループを図３のフローチャートに追加する構成としてもよいし、図３の代わりに別に設ける構成としてもよい。
【００５０】
［搬送速度の選択］
次に、高速で画像記録する場合の搬送速度の選択方法について説明する。
【００５１】
図４は、図１に説明した昇華型記録装置１００において、搬送速度Ｓを変えながら、パルスデューティ８０％のストローブパルス数を１から２５６まで変化させたときの受像紙に記録される濃度の出力を示す図である。
【００５２】
図４は一例として搬送速度Ｓを変化させたときのストローブパルス数とイエロー濃度を示す。なお図は省略するが、マゼンタ、シアンなど他の色を使用する場合には、図４と同様にして搬送速度Ｓを変化させたときのストローブパルス数と受像紙に記録される各色の濃度の出力を予め測定しておけばよい。
【００５３】
図４において、印加電圧Ｖは、２４Ｖ、ヘッド発熱体の抵抗値Ｒは７ＫΩで、素子数Ｎは１２００である。したがって、パルスデューティ８０％のストローブパルス数を２５６個作動させるために必要な電源部のピーク電力Ｐｍａｘは、Ｐｍａｘ＝Ｖ×Ｖ×Ｎ／Ｒ＝９８Ｗとなる。
【００５４】
なお搬送速度が速くなるほど単位面積あたりに供給されるエネルギーが小さくなるため濃度が低下していく。
【００５５】
例えば、同一電力（Ｐ）を使用してストローブパルス数を２５６個を作動し、搬送速度Ｓを１０ｍｓｅｃ／ｌｉｎｅ、７ｍｓｅｃ／ｌｉｎｅ、４ｍｓｅｃ／ｌｉｎｅに変化させて受像紙に記録される濃度を測定すると、図４のＣ１、Ｃ２、Ｃ３に示すように搬送速度Ｓが速くなるほど（１０＜７＜４ｍｓｅｃ／ｌｉｎｅ）受像紙の単位面積あたりに供給されるエネルギーが小さくなるため受像紙に記録される濃度は低下する（Ｃ１＞Ｃ２＞Ｃ３）。
【００５６】
ここで、搬送速度Ｓとして例えば、１０ｍｓｅｃ／ｌｉｎｅ、７ｍｓｅｃ／ｌｉｎｅ、４ｍｓｅｃ／ｌｉｎｅの３種類の搬送速度で画像を記録できる場合について説明する。
【００５７】
また図４において、電源部の容量の制限から、画像記録のために使用できる電力が最大ピーク電力Ｐｍａｘに制限されている。例えば図４において、使用できる最大ストローブパルス数は２５６個である。そのため各搬送速度には、各搬送速度で画像を記録する場合に記録が可能な最大濃度ＯＤＭが決められている。
【００５８】
例えば、図４の場合には、搬送速度４ｍｓｅｃ／ｌｉｎｅの場合の最大濃度ＯＤＭはＣ３に示す１．２であり、搬送速度７ｍｓｅｃ／ｌｉｎｅの場合の最大濃度ＯＤＭはＣ２に示す２．０であり、搬送速度１０ｍｓｅｃ／ｌｉｎｅの場合の最大濃度ＯＤＭはＣ３に示す２．２である。
【００５９】
このような条件下において、イエロー濃度がＣ３に示す１．２より薄い濃度の画像（Ｉｍｇ）を記録するためには、搬送速度は、４、７、１０ｍｓｅｃ／ｌｉｎｅのいずれの搬送速度を使用することもできる。したがって、搬送速度を最大にしてこの画像を記録するためには最速の搬送速度４ｍｓｅｃ／ｌｉｎｅを使用すればよい。
【００６０】
しかしながら、イエロー濃度が１．２より大きい画像（Ｉｍｇ）、例えばＣ４の濃度を記録するためには、搬送速度４ｍｓｅｃ／ｌｉｎｅは使用することができない。これは搬送速度４ｍｓｅｃ／ｌｉｎｅで画像（Ｉｍｇ）を記録できる最大濃度ＯＤＭはＣ３であり、Ｃ４の濃度はＣ３の濃度より濃いため（Ｃ４＞Ｃ３）である。
【００６１】
この場合には、搬送速度を最速の搬送速度４ｍｓｅｃ／ｌｉｎｅから次に速い搬送速度の７ｍｓｅｃ／ｌｉｎｅに変更して使用すればよい。
【００６２】
同様にしてイエロー濃度がＣ５に示す２.０より大きい画像（Ｉｍｇ）を記録するためには、搬送速度１０ｍｓｅｃ／ｌｉｎｅを使用すればよい。
【００６３】
このようにして、常に記録する画像の濃度に応じて、最速の搬送速度を用いて画像を記録することができる。
【００６４】
上記説明した方法によれば、ピーク電力Ｐｍａｘを一定にしたままで、少なくともある最高濃度がある値以下の画像は高速画像記録が可能である。またピーク電力Ｐｍａｘは変わらないため、ピーク電力Ｐｍａｘが大きな電源を使用しなくてもすむ。したがって、電源部の製造コストを低く抑えながら高速画像記録が可能となる。
【００６５】
なお以上の説明において、画像記録装置１００が設定できる搬送速度の種類は上記の３種類に限らない。任意の搬送速度について、予め図４と同様の関係を調べて登録しておけば、より多くの搬送速度を使用することもできる。
【００６６】
［平均消費電力］
次に、平均消費電力について説明する。
【００６７】
電源部には、ピーク電力Ｐｍａｘ以外に守るべき定格として平均消費電力がある。
【００６８】
ピーク電力Ｐｍａｘ値は、瞬時も越えられない規格である。しかし、電源部の温度上昇が著しくならないような範囲であれば、ある時間内（例えば、一色で一画面の画像を記録する時間内）での平均消費電力がある値（定格）以下になるように電源部を構成すればよい。
【００６９】
例えば、上記の電源部の定格平均消費電力が５０Ｗであるとする。また図６に示す画像をイエロー濃度１.０とイエロー濃度２.０で記録するものとする。また搬送速度７ｍｓｅｃ／ｌｉｎｅで記録するものとする。
【００７０】
またさらに図６において、イエロー濃度１．０の部分の面積Ａ１、イエロー濃度２．０の部分（斜線部）の面積Ｂ１、Ｂ２、Ｂ３とした時、イエロー濃度１．０面積：イエロー濃度２．０面積＝Ａ１：（Ｂ１+Ｂ２+Ｂ３）＝３：１であったとする。
【００７１】
ここで、イエロー濃度２．０の部分に対応した発熱素子は、一ライン毎、すなわち、７ｍｓｅｃ毎に、図８のようにパルスデューティＤ＝Ｔｐ／（Ｔｓ／２５６）が８０％の２５６個のストローブパルスが印加される。したがってイエロー濃度２．０の部分の平均消費電力Ｐは、ピーク電力Ｐｍａｘが９８ＷであるからＰ＝９８×０．８＝７８Ｗとなる。
【００７２】
一方、イエロー濃度１．０の部分に対応した発熱素子は、１ライン毎に、図９のように１２８個のストローブパルスが印加されるので、イエロー濃度１．０の部分の平均消費電力Ｐは、Ｐ＝３９Ｗとなる。
【００７３】
従って、搬送速度７ｍｓｅｃ／ｌｉｎｅで上記画像を記録する場合の画像全体での平均消費電力Ｐは、イエロー濃度１．０の面積：イエロー濃度２．０の面積＝３：１であり、イエロー濃度１.０、イエロー濃度２．０の部分の各平均消費電力は、それぞれ７８Ｗ、３９Ｗであることから、Ｐ＝７８×１/４+３９×１/４＝４９Ｗとなる。
【００７４】
すなわち、図６に示す画像を搬送速度７ｍｓｅｃ／ｌｉｎｅで記録する場合には、平均消費電力Ｐは４９Ｗと電源の定格平均消費電力５０Ｗ以内となるので、このままの搬送速度で画像を記録することができる。
【００７５】
一方、記録する画像が図７に示す画像をイエロー濃度１.０とイエロー濃度２.０で、搬送速度７ｍｓｅｃ／ｌｉｎｅで記録するものとする。
【００７６】
図７において、イエロー濃度１．０の部分の面積Ａ１、Ａ２、イエロー濃度２．０の部分（斜線部）の面積Ｂ１、Ｂ２とした時、イエロー濃度１．０面積：イエロー濃度２．０面積＝（Ａ１＋Ａ２）：（Ｂ１+Ｂ２）＝１：１であったとする。
【００７７】
従って、搬送速度７ｍｓｅｃ／ｌｉｎｅで上記画像を記録する場合の画像全体での平均消費電力Ｐは、イエロー濃度１．０、イエロー濃度２．０で、それぞれ７８Ｗ、３９Ｗであることから、Ｐ＝７８×１/２+３９×１/２＝５８Ｗとなる。
【００７８】
すなわち、図６に示す画像を搬送速度７ｍｓｅｃ／ｌｉｎｅで記録する場合、平均消費電力Ｐは５８Ｗであり、この平均消費電力Ｐは、前述のピーク電力Ｐｍａｘ７８Ｗを超えてはいないが、電源の定格平均消費電力５０Ｗを超えてしまう。この場合には、このままの搬送速度で画像を記録することはできない。
【００７９】
このように、搬送速度７ｍｓｅｃ／ｌｉｎｅで記録すると電源部の定格平均消費電力５０Ｗを超えてしまう場合には、搬送速度を一段落として１０ｍｓｅｃ／ｌｉｎｅにすればよい。
【００８０】
図４において、搬送速度１０ｍｓｅｃ／ｌｉｎｅの場合、イエロー濃度１．０、イエロー濃度２．０を与えるストロークパルス数Ｐ１、Ｐ２は、図４から各々１０１、１９２である。
【００８１】
したがって、イエロー濃度１．０の部分に対応した平均消費電力は、Ｐ＝７８×１０１/２５６＝３０．７Ｗであり、イエロー濃度２．０の部分に対応した平均消費電力は、Ｐ＝７８×１９２/２５６＝５８．５Ｗとなる。それゆえ、図９の画像に対しての平均消費電力Ｐは、Ｐ＝（３０．７＋５８．５）＝４４．６Ｗとなる。
【００８２】
すなわち、図６に示す画像に対して搬送速度１０ｍｓｅｃ／ｌｉｎｅを用いた場合の平均消費電力は４４．６Ｗであり、この値は電源の定格平均消費電力５０Ｗ以下とになるので、この搬送速度で画像を記録することができる。
【００８３】
以上のように画像を記録する前に記録する画像を予め解析し、その結果に基づいて搬送速度Ｓを決定すれば、定格平均消費電力の小さい電源を用いても種々の搬送速度を利用して画像を記録することができる。
【００８４】
［搬送速度の選択方法］
図３のステップＳ５６に示す搬送速度の選択方法について、図５に示すフローチャートで詳細に説明する。
【００８５】
図５において、ステップＳ７１〜ステップＳ８５までの処理は、イエロー、マゼンタ、シアンの各色毎に行うものとするが、以下の説明では、説明を簡略に行うため、イエローを用いて説明する。
【００８６】
ステップＳ７１において、画像記録する画像をスキャンし、画像の記録に必要となる各色の最大濃度ＯＤＭ（Ｉｍｇ）を決定する。ここでの画像は、イエロー、マゼンタ、シアンのどれかの単色画像である。今、この画像記録装置１００は、搬送速度Ｓ１、Ｓ２、…、Ｓｎの搬送速度での画像記録を設定できるものとする。ｎは２以上の整数で、Ｓ１が最速、Ｓｎが最も遅い速度とする。
【００８７】
ステップＳ７２では、まず最も遅い搬送速度で画像記録する場合の到達濃度ＯＤＭ（Ｓｎ）が最大濃度ＯＤＭ（Ｉｍｇ）より小さいか否かを確認し、この条件が成り立つ場合は、ステップＳ８３に進み、画像記録装置１００では所望の画像が形成できないとして、適当な表示装置を点滅させたりして、エラー１の表示を行う。またステップＳ７２において、最も遅い速度で画像記録する場合の到達濃度ＯＤＭ（Ｓｎ）が最大濃度ＯＤＭ（Ｉｍｇ）より大きい場合には、ステップＳ７３に進む。
【００８８】
ステップＳ７３において、最も早い搬送速度での画像記録する場合の到達濃度ＯＤＭ（Ｓ１）が、最大濃度ＯＤＭ（Ｉｍｇ）より大きい場合は、ステップＳ７３に進みステップＳ７４〜ステップＳ７６の処理を行わずに搬送速度をＳ＝Ｓ１としてからステップＳ７９へジャンプする。
【００８９】
一方ステップＳ７３において、最も早い搬送速度で画像記録する場合の到達濃度濃度ＯＤＭ（Ｓ１）が、最大濃度ＯＤＭ（Ｉｍｇ）より小さい場合にはステップＳ７４に進み、ｉを１に初期化してからステップＳ７５に進み、搬送速度ＳをＳｉとしてからステップＳ７６に進み、搬送速度Ｓｉにおける到達濃度ＯＤＭ（Ｓｉ）と最大濃度ＯＤＭ（Ｉｍｇ）を比較する。
【００９０】
ステップＳ７６において、搬送速度Ｓｉにおける到達濃度ＯＤＭ（Ｓｉ）が最大濃度ＯＤＭ（Ｉｍｇ）より小さい場合には、ステップＳ７７に進み、ｉ＝ｉ＋１としてからステップＳ７５に戻り、搬送速度を一段ずつ遅くし、再びステップＳ７５〜ステップＳ７７の処理を繰り返し行うことにより到達濃度ＯＤＭ（Ｓｉ）が最大濃度ＯＤＭ（Ｉｍｇ）より初めて大きくなる搬送速度を見出すまで繰り返し行う。
【００９１】
一方、ステップＳ７６において、到達濃度ＯＤＭ（Ｓｉ）が最大濃度ＯＤＭ（Ｉｍｇ）より初めて大きくなる搬送速度を見出と、ステップＳ７９に進む。
【００９２】
なおステップＳ７６において、各搬送速度ごとに到達できる最高濃度の値、例えば図４に示す各濃度とストローブパルスとの関係を示すデータが各インクリボンごとに予めＲＯＭ３３に格納されているものとする。
【００９３】
次に、ステップＳ７９〜ステップＳ８２の処理で、画像記録中の平均電力が、電源部の定格平均消費電力Ｗｔｈ以下であるか否かをを確認する。
【００９４】
すなわちステップＳ７９では、ｉがｎか否かを調べｉ＝ｎの場合にはステップＳ８０に進み、先述したように、搬送速度Ｓｉで画像（Ｉｍｇ）を記録するときの平均消費電力Ｗ（Ｓｉ、Ｉｍｇ）をＲＯＭ３３に格納されているデータを用いて計算する。
【００９５】
すなわち、平均消費電力Ｗ（Ｓｉ、Ｉｍｇ）を求めるには、各画素の濃度に対応するパルス数を求め、それに対応する電力を求め、これを一ライン毎に加算する。これをすべてのラインに対して平均すればよい。
【００９６】
また、演算を簡単にするため濃度の平均値をまず求め、これを実現するパルス数を、ＲＯＭ３３に格納されている図４に相当するデータより求め、この場合の消費電力を全体の平均消費電力の近似値として用いてもよい。
【００９７】
次にステップＳ８１において、計算した平均消費電力Ｗ（Ｓｉ、Ｉｍｇ）が電源部の定格平均消費電力Ｗｔｈより小さいか否かを確認する。もし、平均消費電力Ｗ（Ｓｉ、Ｉｍｇ）が定格平均消費電力Ｗｔｈより大きい場合には、ステップＳ８２において、ｉ＝ｉ＋１とし、更に搬送速度を落してから、ステップＳ７９〜ステップＳ８１の処理を繰り返して行い、ステップＳ８１において計算した平均消費電力Ｗ（Ｓｉ、Ｉｍｇ）が電源部の定格平均消費電力Ｗｔｈより小さくなると、ステップＳ８５に進み、この時の搬送速度を画像記録の搬送速度として一連の作業を終了する。
【００９８】
上記説明した方法により画像記録に適した最速の搬送速度が決定される。
【００９９】
なおステップＳ７９において、Ｉ＝Ｎ＋１となった場合には、ステップＳ８４に進み、どんなにゆっくり画像を記録しても電源部に過負荷がかかるので、エラー２を表示する。
【０１００】
以上説明したように、本実施形態によれば、画像を記録する前に記録する画像を階調別面積に区分し、各階調別面積の記録に必要な記録素子の累積数を計数して必要な電力を予測することができる。そのため予測電力に基づいて使用上限電力と定格平均消費電力が決められている搬送速度の中から最速の搬送速度を選択して画像を記録することができるので、高速で画像記録を実現することができる画像記録装置および画像記録方法を提供できる。
【０１０１】
また、本実施形態では、画像記録装置の一例として昇華型画像記録装置を用いて説明したが、熱転写型等の画像記録装置にも応用できる。また、ＰＣ（パーソナルコンピュータ）より画像が転送される場合を想定したが、ＰＣカードをスロット等を設け、そこからの画像データを読み出すように構成してもよい。
【他の実施形態】
【０１０２】
なお、本発明は、複数の機器（例えばホストコンピュータ、インタフェイス機器、リーダ、画像記録装置など）から構成されるシステムに適用しても、一つの機器からなる装置（例えば、複写機、ファクシミリ装置など）に適用してもよい。
【０１０３】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０５】
本発明を上記記憶媒体に適用する場合、その記憶媒体には、先に説明した（図３および図５に示す）フローチャートに対応するプログラムコードが格納されることになる。
【符号の説明】
【０１０６】
１０  センサ
１１  サーマルヘッド
１２  インクシート
１３  プラテン
１４  センサ
１５  受像紙
１６  ピンチローラ
１７  キャプスタンローラ
１８  巻き取りローラ
１９  供給ローラ
２０  伝達ギア
２１  ステップモータ
２２  ベルト
３１  ＰＣＩ／Ｆ
３２  演算制御部
３３  ＲＯＭ
３４  ＲＡＭ
３５  バッファメモリ
３６  ヘッド制御部
３７  モータ制御部
３８  ステップモータ
３９  ヘッド駆動電源
【図１】
2011152793.tif 000003
【図２】
2011152793.tif 000004
【図３】
2011152793.tif 000005
【図４】
2011152793.tif 000006
【図５】
2011152793.tif 000007
【図６】
2011152793.tif 000008
【図７】
2011152793.tif 000009
【図８】
2011152793.tif 000010
【図９】
2011152793.tif 000011